(57)【要約】【課題】サムネイル形式での表示画面で、各サムネイル画像の拡大画像の表示に要する時間を予測可能にする。【解決手段】プロジェクタ（画像表示装置）は、複数の画像ファイルが記憶された外部の記憶媒体（ＵＳＢメモリ等）が接続されると、各画像ファイルをサムネイル画像より大きいサイズ（画像ファイルで規定されているサイズ）で表示するための拡大表示処理を順次進行し、拡大表示処理の進行度合を示すバーグラフ３１ａ〜４２ａを、対応するサムネイル画像３１〜４２の下に配置したサムネイル表示画面３０を生成する。バーグラフ３１ａ〜４２ａにより、希望する拡大画像が表示されるまでに要する時間を予測できるようになると共に、希望した画像の拡大表示処理が完了していれば、拡大画像の表示に至る時間を従来に比べて短縮できる。【選択図】図２
2011151618.tif 000002
【特許請求の範囲】
【請求項１】
記憶媒体に記憶された複数の画像ファイルに係る複数の画像をサムネイル形式で表示すると共に、サムネイル形式で表示された複数の画像の中のいずれか一つをカーソルで選択可能にしてある画像表示装置において、
前記記憶媒体に記憶された画像ファイルに係る画像をサムネイル形式での表示サイズより大きいサイズで表示するための拡大表示処理を順次行う拡大表示処理手段と、
サムネイル形式での表示の中で、前記拡大表示処理手段の拡大表示処理の進行状態を、前記拡大表示処理手段の拡大表示処理対象となる画像に対応付けて表示する進行状態表示手段と
を備えることを特徴とする画像表示装置。
【請求項２】
記憶媒体に記憶された複数の画像ファイルに係る複数の画像をサムネイル形式で表示すると共に、サムネイル形式で表示された複数の画像の中のいずれか一つをカーソルで選択可能にしてある画像表示装置において、
前記記憶媒体に記憶された画像ファイルに係る画像をサムネイル形式での表示サイズより大きいサイズで表示するための拡大表示処理を順次行う拡大表示処理手段と、
前記拡大表示処理手段の拡大表示処理の進行度合いが進んだ画像ファイルに係る画像ほど、画像としての表示割合が大きくなるように各画像をサムネイル形式で表示するサムネイル表示手段と
を備えることを特徴とする画像表示装置。
【請求項３】
記憶媒体に記憶された複数の画像ファイルに係る複数の画像をサムネイル形式で表示すると共に、サムネイル形式で表示された複数の画像の中のいずれか一つをカーソルで選択可能にしてある画像表示装置において、
前記記憶媒体に記憶された画像ファイルに係る画像をサムネイル形式での表示サイズより大きいサイズで表示するための拡大表示処理を順次行う拡大表示処理手段と、
サムネイル形式での表示の中で、前記拡大表示処理手段の拡大表示処理が開始された画像ファイルに係る画像および前記拡大表示処理手段の拡大表示処理が開始されていない画像ファイルに係る画像を識別する識別マークを表示する識別マーク表示手段と
を備えることを特徴とする画像表示装置。
【請求項４】
前記識別マーク表示手段は、前記拡大表示処理手段の拡大表示処理が完了した画像ファイルに係る画像の識別マークと、前記拡大表示処理手段の拡大表示処理が進行途中の画像の識別マークとを相違した形態で表示する請求項３に記載の画像表示装置。
【請求項５】
前記拡大表示処理手段は、サムネイル形式で表示を行う場合にカーソルが位置する画像に係る画像ファイルから拡大表示処理を開始する請求項１乃至請求項４のいずれか１項に記載の画像表示装置。
【請求項６】
前記拡大表示処理手段は、サムネイル形式で表示を行う場合にカーソルが位置する画像の右又は下に位置する画像に係る画像ファイルを二番目の拡大表示処理対象にする請求項５に記載の画像表示装置。
【請求項７】
カーソル位置が変更された場合、前記拡大表示処理手段は、位置変更されたカーソルが位置する画像に係る画像ファイルの拡大表示処理を開始するように拡大表示処理の順序を変更する請求項５又は請求項６に記載の画像表示装置。
【発明の詳細な説明】
【技術分野】
【０００１】
本発明は、記憶媒体に記憶された複数の画像ファイルに応じた各画像をサムネイル形式で選択可能に表示し、選択された画像をサムネイル画像より大きいサイズで表示するための拡大表示処理を行う画像表示装置に関し、特に、拡大表示処理の進行状況等をサムネイル表示の段階でユーザが把握できるようにしたものである。
【背景技術】
【０００２】
従来、複数の画像をサムネイル形式で選択可能に表示し、選択された画像をサムネイル画像より大きいサイズで表示するものとして、様々な種類の装置（画像表示装置）が存在する。この種の装置の具体例としては、パーソナルコンピュータ、ＰＤＡ、携帯電話機等の情報処理装置や、プロジェクタ（リアプロジェクション装置も含む）、テレビジョン装置といった表示装置などがある。
【０００３】
パーソナルコンピュータ、ＰＤＡ、携帯電話機等の情報処理装置は通常、記憶媒体を内蔵すると共に、外部の記憶媒体を接続可能にしており、そのため、内蔵の記憶媒体または外部の記憶媒体のいずれかに記憶された複数の画像ファイルに応じた各画像をサムネイル形式で表示可能にしていることが一般的である。
【０００４】
また、プロジェクタ（リアプロジェクション装置も含む）、テレビジョン装置といった表示装置は通常、記憶媒体を内蔵しないことから、外部装置（たとえば、パーソナルコンピュータ、撮像装置等）または外部の記憶媒体を接続可能にしている。このような表示装置に、パーソナルコンピュータ、撮像装置等の外部装置を接続してサムネイル表示を行う場合、外部装置側でサムネイルの表示および選択画像の拡大表示の処理等を行う。一方、外部の記憶媒体を接続して、その外部の記憶媒体に記憶された複数の画像ファイルに応じたサムネイル表示および選択画像の表示を行う場合、これらの処理は、プロジェクタ（リアプロジェクション装置も含む）、テレビジョン装置といった表示装置自身で行うことになる。
【０００５】
また、サムネイル形式で表示された画像が選択されて、サムネイル画像より大きいサイズ（たとえば、画像ファイル本来のサイズ）で画像を表示するには、記憶媒体からの画像ファイルの読出処理、デコード処理、スケーリング処理といった処理（拡大表示処理）を行うことになる。
【０００６】
なお、下記の特許文献１には、パーソナルコンピュータとプロジェクタを接続して、プロジェクタで画像を表示する場合において、画像データの転送速度等を算出して適正なデータ圧縮方式を決定することで、画像表示に係る処理速度の短縮化を図る技術を開示している。
【先行技術文献】
【特許文献】
【０００７】
【特許文献１】特開２００７−２６４９０３号公報
【発明の概要】
【発明が解決しようとする課題】
【０００８】
上述したサムネイル画像より大きいサイズで画像を表示するための拡大表示処理は、画像ファイルの読出処理、デコード処理、スケーリング処理等を行う必要があるので、処理速度の高いＣＰＵを搭載しているパーソナルコンピュータ、ＰＤＡ等の情報処理装置であっても、複数の処理を並列的に進行させている状況等によっては、処理負担が大きくなり、サムネイル表示での画像選択から大きいサイズでの画像表示までに時間を要するという問題がある。
【０００９】
また、携帯電話機、又はプロジェクタ（リアプロジェクション装置も含む）、テレビジョン装置といった表示装置等では、パーソナルコンピュータ等で搭載されているＣＰＵに比べて処理速度の低い演算処理部（ＣＰＵ、制御処理部）が搭載されているので、サムネイル表示での画像選択から大きいサイズでの画像表示までに時間がかかるという問題がある。
【００１０】
さらに、上述したように、サムネイル表示での画像選択から大きいサイズでの画像表示までに時間がかかると、装置が正常に作動しているかどうかという点で、ユーザを不安にさせると共に、ユーザを待たせるという点ではユーザへストレスを与えるという問題も生じる。
【００１１】
本発明は、斯かる事情に鑑みてなされたものであり、サムネイル形式で画像選択がなされていなくても、各画像に係る拡大表示処理を順次開始することで、実際に画像が選択された際に、大きなサイズの画像を表示するまでの時間短縮を図ると共に、各画像に係る拡大表示処理の進行状況等をサムネイル形式での表示段階でユーザが視認できるようにすることで、ユーザの不安・ストレスを低減できるようにした画像表示装置を提供することを目的とする。
【課題を解決するための手段】
【００１２】
上記課題を解決するために本発明に係る画像表示装置は、記憶媒体に記憶された複数の画像ファイルに係る複数の画像をサムネイル形式で表示すると共に、サムネイル形式で表示された複数の画像の中のいずれか一つをカーソルで選択可能にしてある画像表示装置において、前記記憶媒体に記憶された画像ファイルに係る画像をサムネイル形式での表示サイズより大きいサイズで表示するための拡大表示処理を順次行う拡大表示処理手段と、サムネイル形式での表示の中で、前記拡大表示処理手段の拡大表示処理の進行状態を、前記拡大表示処理手段の拡大表示処理対象となる画像に対応付けて表示する進行状態表示手段とを備えることを特徴とする。
【００１３】
本発明にあっては、サムネイル形式での表示の際、拡大表示処理を順次行うので、拡大表示処理が進んでいた画像をユーザが選択した場合は、選択された画像が大きなサイズで表示されるまでの時間が従来に比べて短縮される。また、サムネイル形式での表示の中で各画像に対する拡大表示処理の進行状態を表示するので、ユーザが画像を選択する場合、大きいサイズで表示されるまでの時間を、表示された進行状態より予測できるようになり、その結果、ユーザが抱く不安・ストレスを低減できるようになる。
【００１４】
また、本発明に係る画像表示装置は、記憶媒体に記憶された複数の画像ファイルに係る複数の画像をサムネイル形式で表示すると共に、サムネイル形式で表示された複数の画像の中のいずれか一つをカーソルで選択可能にしてある画像表示装置において、前記記憶媒体に記憶された画像ファイルに係る画像をサムネイル形式での表示サイズより大きいサイズで表示するための拡大表示処理を順次行う拡大表示処理手段と、前記拡大表示処理手段の拡大表示処理の進行度合いが進んだ画像ファイルに係る画像ほど、画像としての表示割合が大きくなるように各画像をサムネイル形式で表示するサムネイル表示手段とを備えることを特徴とする。
【００１５】
本発明にあっては、記憶媒体に記憶された各画像ファイルの拡大表示処理を順次行うと共に、拡大表示処理の進行度合が進んだ画像ほど、表示割合が大きくなるようにサムネイル形式で表示するので、サムネイル形式での表示段階で、画像ごとの拡大表示処理の進行状態が一目で分かるようになり、拡大表示を行うためのユーザ選択操作に伴うユーザの不安・ストレスを低減できるようになる。また、記憶媒体に記憶された各画像ファイルの拡大表示処理が順次行われるので、ユーザの選択した画像の拡大表示処理が完了又は進行していれば、選択画像を大きなサイズで表示する際の時間が従来に比べて短縮されるようになる。
【００１６】
さらに、本発明に係る画像表示装置は、記憶媒体に記憶された複数の画像ファイルに係る複数の画像をサムネイル形式で表示すると共に、サムネイル形式で表示された複数の画像の中のいずれか一つをカーソルで選択可能にしてある画像表示装置において、前記記憶媒体に記憶された画像ファイルに係る画像をサムネイル形式での表示サイズより大きいサイズで表示するための拡大表示処理を順次行う拡大表示処理手段と、サムネイル形式での表示の中で、前記拡大表示処理手段の拡大表示処理が開始された画像ファイルに係る画像および前記拡大表示処理手段の拡大表示処理が開始されていない画像ファイルに係る画像を識別する識別マークを表示する識別マーク表示手段とを備えることを特徴とする。
【００１７】
本発明にあっては、記憶媒体に記憶された各画像ファイルの拡大表示処理を順次行うので、ユーザが選択した画像の拡大表示処理が進んでいれば、選択画像が大きなサイズで表示されるまでの時間を従来に比べて短縮できるようになる。また、サムネイル形式での表示の中で画像ごとに、拡大表示処理が開始されたか否かを識別する識別マークを表示するので、ユーザが画像を選択した場合、大きいサイズで表示されるまでの時間を、識別マークからユーザは予測できるようになり、その結果、ユーザが抱く不安・ストレスを低減できるようになる。
【００１８】
さらにまた、本発明に係る画像表示装置は、前記識別マーク表示手段が、前記拡大表示処理手段の拡大表示処理が完了した画像ファイルに係る画像の識別マークと、前記拡大表示処理手段の拡大表示処理が進行途中の画像の識別マークとを相違した形態で表示することを特徴とする。
【００１９】
本発明にあっては、拡大表示処理の完了した識別マークと、拡大表示処理の進行途中の識別マークの表示形態を相違させるので、サムネイル形式での表示における拡大表示処理の開始された画像（画像ファイル）の中で、ユーザは拡大表示処理の完了した画像（画像ファイル）と、拡大表示処理の進行途中の画像（画像ファイル）を識別できるようになり、より詳細に拡大表示処理の進行度合を判別できることから、大きいサイズで表示する際のユーザの不安・ストレスを一段と低減できるようになる。
【００２０】
また、本発明に係る画像表示装置は、前記拡大表示処理手段が、サムネイル形式で表示を行う場合にカーソルが位置する画像に係る画像ファイルから拡大表示処理を開始することを特徴とする。
【００２１】
本発明にあっては、サムネイル形式での表示おいてカーソルが位置する画像に係る画像ファイルから拡大表示処理を開始するので、大きいサイズで表示する際の処理効率の向上に貢献できるようになる。すなわち、サムネイル形式の表示でユーザに選択される確率の高い画像は、一般にカーソルが位置する画像であると考えられるため、本発明のように、カーソルが位置する画像に係る画像ファイルから拡大表示処理を開始することで、拡大表示処理の進んでいる画像がユーザに選択される可能性を高められ、その結果、拡大表示に対するユーザの不安・ストレス低減に役立てられる。
【００２２】
さらに、本発明に係る画像表示装置は、前記拡大表示処理手段が、サムネイル形式で表示を行う場合にカーソルが位置する画像の右又は下に位置する画像に係る画像ファイルを二番目の拡大表示処理対象にすることを特徴とする。
【００２３】
本発明にあっては、サムネイル形式での表示において、カーソルが位置する画像の右又は下に位置する画像に係る画像ファイルを二番目の拡大表示処理対象にするので、ユーザにより選択される可能性の高い画像に係る画像ファイルを優先的に処理できる。すなわち、サムネイル形式の表示でユーザに選択される確率の高い画像は、カーソルが位置する画像の次としては一般に、カーソルが位置する画像の右又は下に位置する画像と考えられるため、本発明が規定する順序で画像ファイルの拡大表示処理を行うことで、拡大表示処理の進んだ画像がユーザに選択される可能性を高められる。
【００２４】
さらにまた、本発明に係る画像表示装置は、カーソル位置が変更された場合、前記拡大表示処理手段は、位置変更されたカーソルが位置する画像に係る画像ファイルの拡大表示処理を開始するように拡大表示処理の順序を変更することを特徴とする。
【００２５】
本発明にあっては、ユーザによるカーソルの移動操作、サムネイル形式での表示画面のスクロール操作又はサムネイル形式画面の画面頁切換操作等により、カーソル位置が変更されると、新たにカーソルが位置するようになった画像に係る画像ファイルの拡大表示処理を開始するので、カーソルの位置する画像が変わっても臨機応変に処理順序を変えて、再度、ユーザに選択される確率の高い画像の処理を優先するため、ユーザのカーソル移動操作またはスクロール操作に対して常に拡大表示処理の時間を短縮できるようになる。
【発明の効果】
【００２６】
本発明にあっては、サムネイル形式での表示に応じて拡大表示処理を順次行うので、ユーザの選択画像の拡大表示処理が進んでいれば、選択画像の拡大表示を従来に比べてスムーズに行うことができ、また、サムネイル形式での表示では各画像に対する拡大表示処理の進行状態を表示するので、拡大画像の表示に要する時間を予測でき、拡大表示に対するユーザの不安・ストレスを低減できる。
【００２７】
本発明にあっては、記憶媒体に記憶された各画像ファイルの拡大表示処理を順次行うと共に、拡大表示処理の進行度合が進んだ画像ほど、表示割合が大きくなるようにサムネイル形式で表示するので、サムネイル形式の表示段階で、画像ごとの拡大表示処理の進行状態をユーザが一目で判断でき、拡大表示に対するユーザの不安・ストレスを低減できると共に、ユーザの選択した画像の拡大表示処理が完了又は進行していれば、選択画像の拡大表示を従来に比べてスムーズに行うことができる。
【００２８】
本発明にあっては、記憶媒体に記憶された各画像ファイルの拡大表示処理を順次行うので、ユーザの選択画像の拡大表示処理が進んでいれば、拡大画像の表示を従来に比べてスムーズに行うことができ、また、サムネイル形式での表示の中で画像ごとに、拡大表示処理が開始されたか否かを識別する識別マークを表示するので、拡大表示に要する時間を、識別マークから予測でき、拡大表示に対するユーザの不安・ストレスを低減できる。
また、本発明にあっては、拡大表示処理の完了した識別マークと、拡大表示処理の進行途中の識別マークの表示形態を相違させるので、拡大表示処理の完了した画像（画像ファイル）と、拡大表示処理の進行途中の画像（画像ファイル）を識別でき、ユーザは拡大表示処理の進行度合を詳細に判別でき、拡大表示に対するユーザの不安・ストレスを更に低減できる。
【００２９】
本発明にあっては、サムネイル形式での表示おいてカーソルが位置する画像に係る画像ファイルから拡大表示処理を開始するので、サムネイル形式の表示でユーザに選択される確率の高い画像から拡大表示処理を開始できる。
また、本発明にあっては、サムネイル形式での表示において、カーソルが位置する画像の右又は下に位置する画像に係る画像ファイルを二番目の拡大表示処理対象にするので、ユーザにより選択される可能性の高い画像に係る画像ファイルを優先的に処理できる。
【００３０】
さらに、本発明にあっては、カーソル位置が変更された場合は、新たにカーソルが位置する画像に係る画像ファイルの拡大表示処理を開始するので、ユーザのカーソル操作またはスクロール操作があっても臨機応変に処理順序を変えて、拡大表示処理の時間短縮を図れる。
【図面の簡単な説明】
【００３１】
【図１】本発明の第１実施形態に係る画像表示装置であるプロジェクタの主要な内部構成を示すブロック図である。
【図２】（ａ）は第１実施形態に係るサムネイル表示画面を示す概略図、（ｂ）は拡大画像の表示状態を示す概略図、（ｃ）はバーグラフの一例を示す拡大概略図である。
【図３】図２（ａ）に示す状態からカーソルが移動した状態のサムネイル表示画面を示す概略図である。
【図４】第１実施形態のサムネイル表示に係る一連の処理を示す第１フローチャートである。
【図５】（ａ）は第２実施形態に係るサムネイル表示画面を示す概略図、（ｂ）は拡大表示処理が進行途中のサムネイル画像の表示状態を示す概略図である。
【図６】第２実施形態のサムネイル表示に係る一連の処理を示す第２フローチャートである。
【図７】第３実施形態に係るサムネイル表示画面を示す概略図である。
【発明を実施するための形態】
【実施例１】
【００３２】
図１は、本発明の第１実施形態に係る画像表示装置に応じたプロジェクタ１の内部構成を示している。第１実施形態のプロジェクタ１は、外部記憶媒体であるＵＳＢメモリ１９を接続できる外部接続端子２を筐体１ａに設けた仕様になっている。この外部接続端子２に接続されたＵＳＢメモリ１９に複数の画像ファイルが記憶されていると、プロジェクタ１は各画像ファイルが規定するサイズより小さいサイズのサムネイル画像（サムネイル形式で表示される画像）を複数格子状に配置して表示（サムネイル形式で表示）する（図２（ａ）、図３参照）。
【００３３】
また、サムネイル形式での表示の中から、ユーザによりサムネイル画像のいずれか一つがカーソルＣで選択されると、プロジェクタ１は、選択されたサムネイル画像を、その画像ファイルが規定するサイズ（サムネイル画像（サムネイル形式での表示サイズ）より大きいサイズの画像）で拡大表示する処理を行う（図２（ｂ）参照）。このような拡大表示に係る処理として、プロジェクタ１は、ＵＳＢメモリ１９からの該当画像ファイルの読み出し、読み出した画像ファイルのデコード（復号化）、スケーリングと云った複数の処理を行っており、本発明においては、このような複数の処理を含む拡大表示に係る一連の処理を、拡大表示処理と称する。
【００３４】
本発明のプロジェクタ１は、ユーザがサムネイル画像を選択する以前に、選択される可能性の高い画像（サムネイル画像）に係る画像ファイルから拡大表示処理を順次進めることで、画像ファイルが規定するサイズで画像（拡大画像）が表示されるまでの時間を短縮できる場合を作り出したことを特徴にしている。また、本発明のプロジェクタ１は、サムネイル形式での表示の際に、サムネイル画像ごとに拡大表示処理の進行度合を可視化し、ユーザ所望のサムネイル画像が選択された場合に拡大画像が表示されるまでの時間をユーザが予測できるようにして、拡大画像の表示に時間がかかること対するユーザの不安・ストレスを低減できるようにしたことを特徴としている。以下、第１実施形態のプロジェクタ１を詳説する。
【００３５】
図１に示すように、プロジェクタ１は、筐体１ａの外周に外部接続端子２（ＵＳＢ規格に準拠した接続端子）、投射レンズ１０及びリモコン受光部１３が表出するように配置しており、筐体１ａの内部には、本発明に関係するものとして、データ読込部３、デコード処理部４、スケーリング処理部５、メモリバッファ６、一覧表生成部７、表示画像生成部８、画像形成パネル９、制御処理部１１及びＲＯＭ１２等を有している。なお、プロジェクタ１は、上述した各部３、４等以外にも光源及び電源ライン等を有するが、これらのものは従来のプロジェクタと同様であるため、図１では図示を省略している。また、ＵＳＢメモリ１９は、接続端子１９ａ（ＵＳＢ規格に準拠した接続端子）を有すると共に、予め複数の画像ファイルＧ１、Ｇ２・・・Ｇｎ（デコードが必要な形式の画像ファイル。たとえば、ＪＰＥＧまたはＧＩＦ等の形式の画像ファイル）を記憶しているものとする。
【００３６】
プロジェクタ１のデータ読込部３は、ＵＳＢメモリ１９に記憶されている複数の画像ファイルを一定数ごとに読み出す処理を行うものである。この読み出し処理は、制御処理部１１により制御されており、一定数ごとの読み出す画像ファイルの数は、メモリバッファ６の空き容量（ワークエリアの空き容量）と読み出し対象の画像ファイルのファイルサイズに基づき制御処理部１１で算出されており、読み出しを開始する画像ファイルおよび読み出し順序も後述するように制御処理部１１により指定されている。
【００３７】
デコード処理部４は、データ読込部３が読み出した各画像ファイルのデコード（複合化）を順次行うものであり、画像ファイルのファイル形式に応じたデコードを行う。スケーリング処理部５は、デコード処理部４で複合化された各画像ファイルを、それぞれの画像ファイルが規定するサイズに展開して拡大画像（サムネイル画面より大きいサイズの画像）を生成する処理を順次行うものである。なお、上述したデータ読込部３、デコード処理部４及びスケーリング処理部５が行う一連の各処理が、本発明の拡大表示処理に相当し、各部３、４、５は制御処理部１１の制御に基づき拡大表示処理を行う。
【００３８】
メモリバッファ６は、上述したデコード処理部４及びスケーリング処理部５が行う各処理のワークエリア、並びに制御処理部１１が行う処理のワークエリアとして機能すると共に、スケーリング処理部５が展開した各画像ファイルの画像（拡大画像）を保持する記憶エリア等としても機能する。
【００３９】
一覧表生成部７は、データ読込部３を通じて読み出されたＵＳＢメモリ１９に記憶されている各画像ファイルのサムネイル画像を生成すると共に、生成したサムネイル画像を格子状に配置したサムネイル形式での表示画面（基本サムネイル画面）を生成するものである。
【００４０】
図２（ａ）は、一覧表生成部７が生成する基本サムネイル画面を含むサムネイル表示画面３０を示し、このサムネイル表示画面３０から、バーグラフ３１ａ〜４２ａを除いたものが基本サムネイル画面に相当する。すなわち、基本サムネイル画面では、水平方向（図２（ａ）中のＸ方向）に計４個のサムネイル画像３１、３２、３３、３４等が配置されると共に、垂直方向（図２（ａ）中のＹ方向）に計３個のサムネイル画像３１、３５、３９等が配置されて、全体として計１２個のサムネイル画像３１〜４２が格子状に配置されている。なお、図２（ａ）において、各サムネイル画像３１〜４２の下方に配置されるバーグラフ３１ａ〜４２ａは、制御処理部１１の制御指示により後述の表示画像生成部８で生成されるものであり、図２（ａ）のサムネイル表示画面３０の全体は、表示画像生成部８で生成されることになる。
【００４１】
制御処理部１１は、プロジェクタ１に含まれる各部３、４、５等の制御処理を行うものであり、特に本発明においては、上述したデータ読込部３、デコード処理部４及びスケーリング処理部５に係る拡大表示処理に関する制御（拡大表示処理手段としての制御）、図２（ａ）のバーグラフ３１ａ〜４２ａの生成に関する制御（進行状態表示手段としての制御）、図２（ａ）に示すサムネイル表示画面３０の生成に関する制御、サムネイル表示画面３０におけるユーザ操作に基づくカーソルＣの移動制御、選択されたサムネイル画像に応じた拡大画像の表示処理に関する制御等を行う。以下、制御処理部１１の上述した各制御処理を説明する。
【００４２】
まず、データ読込部３に対する制御処理部１１の制御について説明する。制御処理部１１は、メモリバッファ６の空き容量とＵＳＢメモリ１９に記憶された各画像ファイルＧ１、Ｇ２等のファイルサイズ等を検出し、並列的に拡大表示処理を行うために、画像ファイルの読込数（一度に読み込む数）を算出する（デフォルトの読込数は３個）。また、制御処理部１１は、読込数の算出後、その算出した読込数において、画像ファイルの読込順を特定する。
【００４３】
この読込順の特定では、画像ファイルの読込数が３個の場合、図２（ａ）のサムネイル表示画面３０の表示直後の状態で、カーソルＣが最初に位置する左上隅に配置されるサムネイル画像（図２（ａ）では、サムネイル画像３１）に応じた画像ファイルを一番目に読み込むことを制御処理部１１は指定する。また、制御処理部１１は、カーソルＣの右隣に配置されるサムネイル画像３２に応じた画像ファイルを二番目の読込順に指定すると共に、カーソルＣの下方に配置されるサムネイル画像３５の画像ファイルを三番目の読込順に指定する。
【００４４】
また、制御処理部１１は、上述した一度目の読込処理が終了すると、二度目の読込処理を行う指示をデータ読込部３に出力し、二度目の読込処理の読込順は、図２（ａ）において一行・三列目のサムネイル画像３３に応じた画像ファイルを一番目、二行・二列目のサムネイル画像３６に応じた画像ファイルを二番目、三行・一列目のサムネイル画像３９に応じた画像ファイルを三番目にしている。さらに、制御処理部１１は、二度目の読込処理が終了すると、三度目の読込処理を行う指示をデータ読込部３に出力し、三度目の読込処理の読込順は、図２（ａ）において一行・四列目のサムネイル画像３４に応じた画像ファイルを一番目、二行・三列目のサムネイル画像３７に応じた画像ファイルを二番目、三行・二列目のサムネイル画像４０に応じた画像ファイルを三番目にしている。
【００４５】
最後に、制御処理部１１は、三度目の読込処理が終了すると、四度目の読込処理を行う指示をデータ読込部３に出力し、四度目の読込処理の読込順は、図２（ａ）において二行・四列目のサムネイル画像３８に応じた画像ファイルを一番目、三行・三列目のサムネイル画像４１に応じた画像ファイルを二番目、右下隅のサムネイル画像４２に応じた画像ファイルを三番目にしている。このように、カーソルＣに近いサムネイル画像の画像ファイルほど、優先的に読み出すようにすることで、カーソル操作に基づき選択される可能性が高いサムネイル画像に応じた画像ファイルから拡大表示処理を進めることができる。
【００４６】
また、制御処理部１１は、カーソルＣの移動操作がユーザにより行われると、特定していた画像ファイルの読込順（拡大表示処理の順序）を変更して、移動したカーソルが新たに位置することになったサムネイル画像から読込処理を行うようになる。
【００４７】
具体的には、図３に示すように、カーソルＣが左上隅のサムネイル画像３１から二行・三列目のサムネイル画像３７へ移動する操作がユーザにより行われた場合、制御処理部１１は、新たにカーソルＣが位置することになったサムネイル画像３７に応じた画像ファイルを一度目の読込処理における一番目の読込順に指定すると共に、以下、カーソルＣの右隣に配置されたサムネイル画像３８に応じた画像ファイルを二番目に読み込み、カーソルＣの下方に配置されるサムネイル画像４１に応じた画像ファイルを三番目に読み込むことを指定することになり、以下、上述した場合と同様に、二度目以降の読込処理の指定を行う。なお、カーソル移動に伴い読込処理の順序を変更した場合、メモリバッファ６のワークエリアが、カーソル移動前の各画像ファイルの拡大表示処理により使用されることで空き容量が確保できない場合は、それらの各画像ファイルを破棄して、新たな読込処理用の空き容量（ワークエリアとして使用できるメモリ領域）を確保する。
【００４８】
また、制御処理部１１は、読み込まれた各画像ファイルについてデコード・スケーリングといった残りの拡大表示処理を行うように、デコード処理部４及びスケーリング処理部５に指示を出力する。さらに、制御処理部１１は、拡大表示処理の進行状態・完了状態を随時検知し、その検知した内容に応じたバーグラフ３１ａ〜４２ａを生成するように表示画像生成部８に指示を出力する。
【００４９】
すなわち、図２（ａ）に示すように、拡大表示処理の完了した画像ファイルに係るサムネイル画像３１、３２、３５については、左端から右端まで塗りつぶされたバーグラフ３１ａ、３２ａ、３５ａを生成する指示を制御処理部１１は表示画像生成部８へ出力する。また、拡大表示処理の進行途中の画像ファイルに係るサムネイル画像３３、３６、３９については、左端から右端に至らない途中までの範囲が塗りつぶされたバーグラフ３３ａ、３６ａ、３９ａを生成する指示を制御処理部１１は表示画像生成部８へ出力する。
【００５０】
図２（ｃ）は、拡大表示処理の進行途中（全処理の約４０％まで処理が進行中）の画像ファイルに係るサムネイル画像３３に応じたバーグラフ３３ａを示している。このバーグラフ３３ａでは、左端から右端の範囲を１００％とすると、左端から右端方向へ約４０％に至る範囲が塗りつぶされている。このように塗りつぶされる範囲は、拡大表示処理の進行に伴って随時増加するようになっており、たとえば、拡大表示処理が全処理の約６０％まで進行したことを制御処理部１１が検知すると、左端から右端方向へ約６０％に至る範囲が塗りつぶされたバーグラフ３３ａを生成する指示を出力することになる。
【００５１】
また、図２（ａ）に示すように、拡大表示処理が開始されていない画像ファイルに係るサムネイル画像３４、３７、３８、４０〜４２については、全く塗りつぶされていないバーグラフ３４ａ、３７ａ、３８ａ、４０ａ〜４２ａを生成する指示を制御処理部１１は表示画像生成部８へ出力する。
【００５２】
上述したように、拡大表示処理の進行状況に応じた様々な形態のバーグラフ３１ａ〜４２ａをサムネイル表示画面３０に配置することで、ユーザは各バーグラフ３１ａ〜４２ａを見れば、自身が選択しようとするサムネイル画像についての拡大表示処理の進行度合を把握できるので、拡大画像が表示されるまでの時間を予想でき、拡大画像の表示に対するユーザの不安・ストレスが低減されることになる。
【００５３】
制御処理部１１は、上述した制御以外にも、サムネイル表示画面３０でカーソルＣを移動させる旨のユーザの操作指示を受け付けると、その受け付けた内容に従って、カーソルＣを移動させる指示を表示画像生成部８へ出力する。また、制御処理部１１は、カーソルＣが位置するサムネイル画像を選択する旨のユーザの操作指示を受け付けると、カーソルＣが位置するサムネイル画像の拡大画像（一例として図２（ｂ）に示す拡大画像３１０を参照）に表示内容を切り替える指示を表示画像生成部８へ出力する。
【００５４】
表示画像生成部８は、上述した制御処理部１１の指示に従って各種画像を生成するものであり、本発明においては各バーグラフ３１ａ〜４２ａを生成すると共に、生成した各バーグラフ３１ａ〜４２ａを、一覧表生成部７が生成した基本サムネイル画面に配置（各サムネイル画像３１〜４２の下方に対応するように配置）し、生成時の状態で左上隅のサムネイル画像３１にカーソルＣを位置させた図２（ａ）のサムネイル表示画面３０を生成する。なお、このサムネイル表示画面３０の各バーグラフ３１ａ〜４２ａの状態またはカーソルＣの位置等は、拡大表示処理の進行度合またはユーザのカーソル移動操作等によって、随時描写が更新される。また、表示画像生成部８は、制御処理部１１の指示により、サムネイル表示画面３０で選択されたサムネイル画像の拡大画像の生成処理も行う。
【００５５】
表示画像生成部８は、生成した画像を画像形成パネル９に出力して、画像形成パネル９に表示させ、図示を省略した光源で画像パネル９を照射することで、プロジェクタ１は画像形成パネル９に表示した画像を投射レンズ１０を通じて、外部に設置したスクリーンＳへ投影する。
【００５６】
また、ＲＯＭ１２は、制御処理部１１の上述した各種制御の内容を規定したプログラムＰおよび各種メニュー画面用のメニューＭ等を予め記憶したものである。さらに、リモコン受光部１３は、制御処理部１１と接続されており、リモコン１５から発せられる赤外光を受光し、受光した赤外光に含まれるリモコン信号を制御処理部１１へ伝送する処理を行う。
【００５７】
リモコン１５（リモートコントローラ）は、ユーザからの操作指示を受け付けるユーザインタフェースであり、リモコン筐体１５ａの外面に上下左右キー１６ａ〜１６ｄ、決定キー１７（選択キー）、及び各種操作キー等を配置している。リモコン１５は、ユーザからの操作指示を各種キーで受け付けると、その受け付けた操作内容に応じたリモコン信号を含む赤外光を出力する。なお、本発明では、上下左右キー１６ａ〜１６ｄは、サムネイル表示画面３０におけるカーソルＣの移動に対する操作受付に用いられ、決定キー１７はカーソルＣが位置するサムネイル画像を拡大画像にするための選択操作の指示受付に用いられる。
【００５８】
図４は、上述した第１実施形態のプロジェクタ１が行うサムネイル表示に係る一連の処理内容を整理した第１フローチャートである。以下、この第１フローチャートに従って第１実施形態に係る一連の処理の流れを説明する。
【００５９】
まず、プロジェクタ１は、ＵＳＢメモリ１９が接続されると、ＵＳＢメモリ１９に記憶された複数の画像ファイルＧ１〜Ｇｎに基づき基本サムネイル画面を一覧表生成部７で生成する（Ｓ１）。次に、ＵＳＢメモリ１９に記憶された複数の画像ファイルＧ１〜Ｇｎの中から、一度目の拡大表示処理の処理対象にする画像ファイルをプロジェクタ１の制御処理部１１が決定する（Ｓ２）。なお、この際、ＵＳＢメモリ１９からの画像ファイルの読込順序、デコード処理部４及びスケーリング処理部５での処理順序も決定している。
【００６０】
そして、プロジェクタ１は、決定した処理対象の画像ファイルについて拡大表示処理を順次行い（Ｓ３）、図２（ａ）に示すようなサムネイル表示画面３０を表示画像生成部８で生成し（Ｓ４）、生成したサムネイル表示画面３０を画像形成パネル９に出力して投射レンズ１０を通じて投射する（Ｓ５）。このような処理を経て、プロジェクタ１の投射レンズ１０に対向して設置されたスクリーンＳには、図２（ａ）のサムネイル表示画面３０が映される。なお、上記Ｓ４、Ｓ５の段階でも、Ｓ３の段階で開始された拡大表示処理は、Ｓ４、Ｓ５の段階での処理と並行して順次進行している。
【００６１】
それから、プロジェクタ１は、ユーザからカーソル移動の操作を受け付けたか否かを判断する（Ｓ６）。カーソル移動の操作を受け付けた場合（Ｓ６：ＹＥＳ）、プロジェクタ１の制御処理部１１は、メモリバッファ６の空き容量を検知して、空き容量が不足していれば、処理中の画像ファイルを破棄するなどして空き容量を確保し（Ｓ７）、それから処理対象決定の段階（Ｓ２）に戻って、移動したカーソルＣの位置に基づいて、今までの処理対象及び処理順序を変更し、新たに処理対象となる画像ファイルの決定および各種処理対象の順序を決定して、以降の段階（Ｓ３、Ｓ４等）の処理を継続する。
【００６２】
一方、カーソル移動の操作を受け付けなかった場合（Ｓ６：ＮＯ）、プロジェクタ１は次にサムネイル画像の選択操作を受け付けたか否かを判断する（Ｓ８）。サムネイル画像の選択操作を受け付けた場合（Ｓ８：ＹＥＳ）、プロジェクタ１は、図２（ｂ）に示すような拡大画像３１０をスクリーンＳに表示（投射）する（Ｓ１０）。この場合、ユーザにより選択されたサムネイル画像に係る画像ファイルの拡大表示処理が既に完了または進行中であれば、拡大画像３１０が表示されるまでの時間は、従来に比べて短縮される。なお、拡大画像３１０の表示段階（Ｓ１０）へ進むことにより、サムネイル形式での表示処理は一旦終了することになる。
【００６３】
また、サムネイル画像の選択操作を受け付けなかった場合（Ｓ８：ＮＯ）、プロジェクタ１は、ＵＳＢメモリ１９に記憶された全画像ファイルの拡大表示処理が完了したか否かを判断する（Ｓ９）。全画像ファイルの拡大表示処理が完了していない場合（Ｓ９：ＮＯ）、プロジェクタ１は、処理対象決定の段階（Ｓ２）に戻って、Ｓ２以降の段階の処理を継続し、このようにＳ２の段階に戻ることで、図２（ａ）のサムネイル表示画面３０の各バーグラフ３１ａ〜４２ａの表示状態は、各画像ファイルの拡大表示処理の進行状況に応じて更新されることになる。
【００６４】
一方、全画像ファイルの拡大表示処理が完了している場合（Ｓ９：ＹＥＳ）、プロジェクタ１は、サムネイル表示画面３０の表示出力（投射）の段階（Ｓ５）に戻り、Ｓ５以降の処理を継続することで、図２（ａ）のサムネイル表示画面３０の表示を続けることになる。
【００６５】
第１実施形態のプロジェクタ１は、上述したような処理を行うことで、サムネイル画像の拡大画像を従来に比べて迅速に表示できる可能性を高めていると共に、サムネイル表示画面３０において、各サムネイル画像についての拡大表示処理の進行度合を可視化したので、拡大画像の表示に要する時間等をユーザが予測できるようになり、拡大画像の表示処理に関するユーザの不安・ストレスを低減できる。
【００６６】
なお、第１実施形態に係る処理内容を実現できる装置は、上述したプロジェクタ１に限定されるものではなく、変形例としてサムネイル形式での表示およびサムネイル画像から拡大画像への表示を行う装置に広く適用することが可能であり、具体的には、リアプロジェクション装置およびテレビジョン装置等の表示装置、録画装置、デジタルカメラ等の撮像装置、パーソナルコンピュータ、ＰＤＡ等の情報処理装置、及び携帯電話機等にも適用することが可能である。
【００６７】
また、上述した説明では、複数の画像ファイルＧ１〜Ｇｎが記憶される記憶媒体は、装置外部のＵＳＢメモリ１９としていたが、他の種類の外部記憶媒体（各種半導体メモリ、ＣＤ・ＤＶＤ・ＢＤ等の記憶ディスク等）も、これらの受け入れ部を装置に設けることで適用可能になる。また、外部記憶媒体以外にも装置内部に設けられた記憶媒体（たとえば、ハードディスクドライブ、半導体メモリなど）に記憶した複数の画像ファイル（静止画・動画の画像ファイル）に対しても同様の処理が行える。また、記憶媒体に記憶される複数の画像ファイルは、記憶媒体の全記憶ファイル（全画像ファイル）を本発明の処理対象にする以外にも、フォルダごとに分けて複数の画像ファイルが記憶媒体に記憶されている場合は、特定のフォルダに格納されている画像ファイルのみを本発明の処理対象にすることも可能である。
【００６８】
さらに、サムネイル形式で表示するサムネイル画像の数は、図２（ａ）のサムネイル表示画面３０のように１２個に限定されるものではなく、装置仕様等に応じて適宜増減可能である。また、一度に表示できるサムネイル画像の数より多くの画像ファイルが記憶媒体に記憶されている場合は、水平方向（Ｘ方向）又は垂直方向（Ｙ方向）の少なくともいずれか一方にスクロール可能なサムネイル表示画面を生成して表示するようにしてもよい。このスクロール可能なサムネイル表示画面を生成する場合では、ユーザの操作によりサムネイル表示画面をスクロールすると、スクロールに応じてカーソルの位置するサムネイル画像も変わることから、スクロールの操作指示を受け付けたときは、図４の第１フローチャートのＳ６の段階と同様に、変更されたカーソルが位置するサムネイル画像に係る画像ファイルから拡大表示処理を開始するように拡大表示処理の対象および順序を変更することになる。このことは、多数のサムネイル画像に対し複数の画面頁にわたるサムネイル表示画面を生成した場合で、表示するサムネイル表示画面を切り替える操作を行う場合にも同様のことが当てはまる。
【００６９】
さらにまた、拡大表示処理の順序について、上述した説明では、カーソル位置のサムネイル画像（たとえば、図２（ａ）のサムネイル画像３１）の画像ファイルを一番目、カーソル右隣のサムネイル画像（たとえば、図２（ａ）のサムネイル画像３２）の画像ファイルを二番目、カーソル下方のサムネイル画像（たとえば、図２（ａ）のサムネイル画像３５）の画像ファイルを三番目にしていたが、この順序に限定されるものではない。他の例としては、上述した説明の二番目と三番目を逆の順序にして、カーソル下方のサムネイル画像（たとえば、図２（ａ）のサムネイル画像３５）の画像ファイルを二番目、カーソル右隣のサムネイル画像（たとえば、図２（ａ）のサムネイル画像３２）の画像ファイルを三番目にすることも可能である。
【００７０】
また、拡大表示処理の対象および順序は、上述したカーソル位置に基づき特定する以外に、サムネイル形式での表示において選択されたことがあるサムネイル画像のファイル名および選択頻度を記憶しておき、それ以降の時点でサムネイル形式での表示を行う際には、記憶しておいた選択頻度の高いファイル名の画像ファイルから拡大表示処理の対象として順次、拡大表示処理（読み出し、デコード、スケーリングの各処理）を行うようにしてもよい。
【実施例２】
【００７１】
図５（ａ）は、本発明の第２実施形態のプロジェクタ（画像表示装置に相当）により表示投影されるサムネイル表示画面５０を示している。第２実施形態のプロジェクタのハード的な構成は第１実施形態と基本的に同様であり、生成されるサムネイル表示画面５０の形態が、第１実施形態のサムネイル表示画面３０（図２（ａ）参照）と異なっている。第２実施形態のサムネイル表示画面５０は、第１実施形態のサムネイル表示画面３０のようなバーグラフ３１ａ〜４２ａを有しない替わりに、拡大表示処理の進行度合が進んだ画像ファイルに係るサムネイル画像ほど、画像として表示割合が大きくなるようにしたことが特徴になっている。
【００７２】
すなわち、図５（ａ）のサムネイル表示画面５０では、カーソルＣが位置する左上隅のサムネイル画像５１、一行・二列目のサムネイル画像５２及び二行・一列目のサムネイル画像５５については、全画像が表示されており、これらのサムネイル画像５１、５２、５５に係る画像ファイルの拡大表示処理が完了したことを示している。また、一行・三列目のサムネイル画像５３、二行・二列目のサムネイル画像５６及び三行・一列目のサムネイル画像５９は、図５（ｂ）にも示すように、全体の約４０％程度の範囲でしか画像が表示されていないので、これらのサムネイル画像５３、５６、５９に係る画像ファイルの拡大表示処理は全体の約４０％程度まで処理が進行中であることを示している。
【００７３】
さらに、残りのサムネイル画像については、画像枠５４ａ、５７ａ、５８ａ、６０ａ〜６２ａのみが示され、画像部分が一切表示されていないことから、これらのサムネイル画像に係る画像ファイルの拡大表示処理は開始されていないことを示している。
【００７４】
図６の第２フローチャートは、第２実施形態のサムネイル表示画面５０の表示に関連した一連の処理手順を示すものであり、基本的な処理の流れは図４の第１フローチャートと同様である。以下、第２フローチャートに基づき第２実施形態のプロジェクタが行う処理内容を説明するが、第２実施形態のプロジェクタはハード的な構成は第１実施形態と同等であるため、以下の説明ではプロジェクタのハード的な構成部分については第１実施形態と同じ符号を用いる。
【００７５】
まず、第２実施形態のプロジェクタ１は、ＵＳＢメモリ１９が接続されると、ＵＳＢメモリ１９に記憶された複数の画像ファイルＧ１〜Ｇｎの中から、一度目の拡大表示処理の処理対象にする画像ファイルを、これらの画像ファイルの処理順序を含めてプロジェクタ１の制御処理部１１が決定する（Ｓ２０）。次にプロジェクタ１は、決定した処理対象の画像ファイルについて拡大表示処理を順次行い（Ｓ２１）、制御処理部１１が各画像ファイルの拡大表示処理の進行度合を検知する（Ｓ２２）。
【００７６】
そして、制御処理部１１がサムネイル表示手段として、検知した内容に従って、サムネイル画像の表示程度を一覧表生成部７に伝送し、伝送された内容に基づいて一覧表生成部７がサムネイル画像の表示割合を特定して、サムネイル表示画面５０を生成し（Ｓ２３）、生成したサムネイル表示画面５０は表示画像生成部８へ送る。表示画像生成部８では、移動可能なカーソルＣを左上隅のサムネイル画像５１に配置して、図５（ａ）に示す状態のサムネイル表示画面５０を生成し、このサムネイル表示画面５０が画像形成パネル９に出力して、投射レンズ１０を通じてスクリーンＳに投射表示する（Ｓ２４）。
【００７７】
以降の段階Ｓ２５〜Ｓ２９の処理内容は、第１フローチャートの段階Ｓ６〜Ｓ１０と同様なので、説明を省略する。このような処理を経て表示される第２実施形態のサムネイル表示画面５０は、サムネイル画像の表示されている画像の割合を見るだけで直感的に各画像ファイルの拡大表示処理の進行度合をユーザが認識できるというメリットがある。それにより、ユーザが希望する拡大画像の表示に要する時間を予測可能となり、拡大画像の表示に関するユーザの不安・ストレスを低減できる。また、図５（ａ）のサムネイル表示画面５０は、第１実施形態のサムネイル表示画面３０のようにバーグラフ３１ａ〜４２ａを有しないことから、従来のサムネイル表示画面と同様の表示形態を維持することができ、ユーザに親しみのあるＧＵＩデザインを提供できる。なお、第２実施形態でも、第１実施形態で述べた各種変形例の適用が可能である。
【実施例３】
【００７８】
図７は、本発明の第３実施形態のプロジェクタ（画像表示装置に相当）により、スクリーンＳに投影表示されるサムネイル表示画面７０を示している。第３実施形態のプロジェクタのハード的な構成も第１実施形態と基本的に同様であり、生成されるサムネイル表示画面７０の形態が、第１実施形態のサムネイル表示画面３０（図２（ａ）参照）と異なっている。第３実施形態のサムネイル表示画面７０は、第１実施形態のサムネイル表示画面３０のようなバーグラフ３１ａ〜４２ａを有しない替わりに、拡大表示処理が開始された画像ファイルに係るサムネイル画像と、拡大表示処理が開始されていない画像ファイルとを識別する識別マークとして各サムネイル画像７１〜８２の周囲に太枠マーク７１ａ〜８２ａを配置したことが特徴になっている。
【００７９】
すなわち、図７のサムネイル表示画面７０では、カーソルＣが位置する左上隅のサムネイル画像７１、一行・二列目のサムネイル画像７２及び二行・一列目のサムネイル画像７５の太枠マーク７１ａ、７２ａ、７５ａは右下がりのハッチング模様になっており、この模様の形態により、これらのサムネイル画像７１、７２、７５に係る画像ファイルの拡大表示処理が完了したことを示している。また、一行・三列目のサムネイル画像７３、二行・二列目のサムネイル画像７６及び三行・一列目のサムネイル画像７９の太枠マーク７３ａ、７６ａ、７９ａは、図７に示すように右上がりのハッチング模様（ハッチング線の間隔が上記より広い模様）になっており、この模様の形態により、これらのサムネイル画像７３、７６、７９に係る画像ファイルの拡大表示処理は進行中であることを示している。
【００８０】
さらに、残りのサムネイル画像７４、７７、７８、８０〜８２の太枠マーク７４ａ、７７ａ、７８ａ、８０ａ〜８２ａは、模様が付されていないことから、これらのサムネイル画像７４、７７、７８、８０〜８２に係る画像ファイルの拡大表示処理は開始されていないことを示している。
【００８１】
第３実施形態のサムネイル表示画面７０の表示に関連した一連の処理手順は、基本的に図４に示す第１実施形態の第１フローチャートと同様であり、以下、概要を説明する。なお、以下の説明ではプロジェクタのハード的な構成部分については第１実施形態と同じ符号を用いている。
【００８２】
まず、第３実施形態のプロジェクタ１は、ＵＳＢメモリ１９が接続されると、ＵＳＢメモリ１９に記憶された複数の画像ファイルＧ１〜Ｇｎに基づき基本サムネイル画面を一覧表生成部７で生成する。次に、ＵＳＢメモリ１９に記憶された複数の画像ファイルＧ１〜Ｇｎの中から、一度目の拡大表示処理の処理対象にする画像ファイルを、これらの画像ファイルの処理順序を含めてプロジェクタ１の制御処理部１１が決定する。次にプロジェクタ１は、決定した処理対象の画像ファイルについて拡大表示処理を順次行い、制御処理部１１が各画像ファイルの拡大表示処理の進行度合を検知する。
【００８３】
そして、制御処理部１１が識別マーク表示手段として、検知した内容に従って、太枠マーク７１ａ〜８２ａの模様の区別を表示画像生成部８に指示し、表示画像生成部８は伝えられた指示に応じた模様を付した太枠マーク７１ａ〜８２ａを生成し、これら生成した太枠マーク７１ａ〜８２ａを基本サムネイル画面に配置し、さらに移動可能なカーソルＣも配置して、図７のサムネイル表示画面７０を生成する。それから、生成したサムネイル表示画面７０は、画像形成パネル９に出力されて、投射レンズ１０を通じてスクリーンＳに投影され、スクリーンＳに投射表示される。以降の段階の処理内容は、第１フローチャートの段階Ｓ６〜Ｓ１０と同様である。
【００８４】
以上のような処理を経て表示される第３実施形態のサムネイル表示画面７０は、太枠マーク７１ａ〜８２ａにより、拡大表示処理の完了済みと開始前の画像ファイルを容易に見分けることができるというメリットがあり。それにより、ユーザが希望する拡大画像の表示に要する時間を予測可能となり、拡大画像の表示に関するユーザの不安・ストレスを低減できる。
【００８５】
さらに、太枠マーク７１ａ〜８２ａは、拡大表示処理の進行中は右上がりのハッチング模様を示すように一様であるため、図２（ａ）のバーグラフ３３ａ、３６ａ、３９ａのように、拡大表示処理の進行に合わせて塗りつぶし範囲を伸ばすような表示内容の更新が不要となり、第３実施形態のサムネイル表示画面７０では、表示更新に係る処理負担を第１実施形態及び第２実施形態より低減できるというメリットもある。また、第３実施形態のサムネイル表示画面７０では、第１実施形態のサムネイル表示画面３０と同様に、常にサムネイル画像については画像全体が示されるので、選択したいサムネイル画像をユーザは容易に見分けられる。なお、第３実施形態でも、第１実施形態で述べた各種変形例の適用が可能である。
【００８６】
なお、上述した図７に示すサムネイル表示画面７０では、拡大表示処理の開始された太枠マーク７１ａ〜７３ａ、７５ａ、７６ａ、７９ａをハッチング模様にしたが、太枠マークの形態は上記模様に限定されるものではなく、たとえば、異なる色、形状等を付して、拡大表示処理の完了、進行中、開始前をそれぞれ識別できるようにしてもよい。
【産業上の利用可能性】
【００８７】
本発明は、複数のサムネイル画像を格子状に配置したサムネイル形式の表示を行う画像表示装置（プロジェクタ等）に対して好適に利用可能である。
【符号の説明】
【００８８】
１  プロジェクタ
２  外部接続端子
３  データ読込部
４  デコード処理部
５  スケーリング処理部
６  メモリバッファ
７  一覧表生成部
８  表示画像生成部
９  画像形成パネル
１０  投射レンズ
１１  制御処理部
１５  リモコン
１９  ＵＳＢメモリ
３０、５０、７０  サムネイル表示画面
３１〜４２、５１〜５２、７１〜８２  サムネイル画像
３１ａ〜４２ａ  バーグラフ
７１ａ〜８２ａ  太枠マーク
Ｇ１、Ｇ２〜Ｇｎ  画像ファイル
【図１】
2011151618.tif 000003
【図２】
2011151618.tif 000004
【図３】
2011151618.tif 000005
【図４】
2011151618.tif 000006
【図５】
2011151618.tif 000007
【図６】
2011151618.tif 000008
【図７】
2011151618.tif 000009